(57)【特許請求の範囲】
【請求項１】
互いから或る距離に配置されている２つの対向する端面セクションと、前記距離にわたって前記２つの端面セクションをつなぐ囲みセクションと、反射ポートを備えるラウドスピーカーエンクロージャーであって、
前記ラウドスピーカーエンクロージャーの内容積部は、前記２つの端面セクション及び前記囲みセクションによって画定され、
前記２つの端面セクションの一方は、ドライバーを収納する取付けセクションを形成し、
前記囲みセクションは、底面セクションと、頂面セクションと、２つの側面セクションを有し、
前記底面セクションは、前記取付けセクションから後方に延びており、
前記頂面セクションは、前記取付けセクションから後方に延びているとともに、前記底面セクションに対向しており、
前記２つの側面セクションは、前記取付けセクションから後方に延びるとともに、前記ラウドスピーカーエンクロージャーの幅を形成するように互いに離隔しており、さらに、前記頂面セクションから前記底面セクションに向かって、かつ前記底面セクションを越えて延びており、そのため、前記２つの側面セクションの底面を延長する底面延長部が、前記底面セクションと、前記ラウドスピーカーエンクロージャーが配置されるプラットフォームとの間に空隙を提供するスタンドを形成し、
前記反射ポートは、
前記ラウドスピーカーエンクロージャーに設けられているとともに、前記内容積部から前記ラウドスピーカーエンクロージャーの外側へ内圧を排出する反射開口と、
前記反射ポートを形成する、前記ラウドスピーカーエンクロージャーの前記内容積部を前記反射開口に接続する反射ポートフォーマーと、を備え、
前記反射ポートフォーマーは、前記２つの端面セクションの少なくとも一方の端面セクションと一体の内壁セクションとして成形されることによって形成され、前記一体の内壁セクションは、
前記２つの端面セクションの一方又は双方の内面から内方に延びるとともに、
前記２つの側面セクションの少なくとも一方に隣接して延び、前記隣接する側面セクションは、前記反射ポートが前記反射ポートフォーマーと前記隣接する側面セクションとの間のスペースに形成されるように前記反射ポートフォーマーを少なくとも部分的に囲むことを特徴とする、ラウドスピーカーエンクロージャー。
【請求項２】
前記ドライバーを収納する開口が前記取付けセクションに設けられる、請求項１に記載のラウドスピーカーエンクロージャー。
【請求項３】
前記反射ポートフォーマーは、前記取付けセクションの一体延長部であり、前記反射ポートは、前記取付けセクションから離れて開口する、請求項２に記載のラウドスピーカーエンクロージャー。
【請求項４】
前記取付けセクションの前記開口は、垂直軸を有する平面を有し、前記反射ポートフォーマーは、前記取付けセクションから内方に延び、前記開口の前記垂直軸を少なくとも部分的に囲むように形状決めされ、前記ラウドスピーカーエンクロージャーの前記外側に開口する湾曲反射ポートが、前記反射ポートフォーマーと隣接する前記側面セクションとの間のスペースに形成される、請求項３に記載のラウドスピーカーエンクロージャー。
【請求項５】
前記囲みセクションは、前記取付けセクションに一体形成されており、そのため、前記取付けセクション及び前記囲みセクションは、前記ラウドスピーカーエンクロージャーの前記内容積部の少なくとも一部を囲み、前記囲みセクション及び前記反射ポートフォーマーは、前記取付けセクションから内方に突出している、請求項２〜４のいずれか１項に記載のラウドスピーカーエンクロージャー。
【請求項６】
前記取付けセクション及び前記囲みセクションは、前記ラウドスピーカーエンクロージャーの前記内容積部の少なくとも５０％を画定するバッフル部を形成する、請求項５に記載のラウドスピーカーエンクロージャー。
【請求項７】
前記バッフル部に、前記囲みセクションの前記底面セクションと、前記頂面セクションと、前記２つの囲み側面セクションが含まれる、請求項６に記載のラウドスピーカーエンクロージャー。
【請求項８】
前記反射ポートフォーマーは、前記底面セクションの内面に終端し、これにより、前記反射ポートは、前記２つの側面セクションの少なくとも一方の側面セクションの前記底面延長部と前記底面セクションとの間のスリットに終端する、請求項７に記載のラウドスピーカーエンクロージャー。
【請求項９】
前記ラウドスピーカーエンクロージャーは、２つの反射ポートを形成する２つの対向する反射ポートフォーマーを有し、そのため、前記２つの反射ポートフォーマーは、２つの対向する前記側面セクションに隣接して配置される、請求項１〜８のいずれか１項に記載のラウドスピーカーエンクロージャー。
【請求項１０】
前記反射ポートフォーマーは、前記底面セクションの内面に終端し、これにより、前記反射ポートは、前記２つの側面セクションの少なくとも一方の側面セクションの前記底面延長部と前記底面セクションとの間のスリットに終端する、請求項１に記載のラウドスピーカーエンクロージャー。
【請求項１１】
前記反射ポートフォーマーは、前記ラウドスピーカーエンクロージャーの軸方向寸法の一部にわたって延びており、前記反射ポートは、前記ラウドスピーカーエンクロージャーの内部に設けられている終端プレートによって軸方向に終端しており、そのため、前記反射ポートは、前記反射ポートフォーマーと、前記２つの側面セクションの少なくとも一方の側面セクションと、前記終端プレートとによって画定されたスペースに形成される、請求項１〜１０のいずれか１項に記載のラウドスピーカーエンクロージャー。
【請求項１２】
前記ラウドスピーカーエンクロージャーは、前記ドライバーの内側部を囲む２つの対向する反射ポートフォーマーを備え、前記終端プレートは前記２つの反射ポートフォーマーを連結するとともに、前記ドライバーを前記ラウドスピーカーエンクロージャーに固定する、請求項１１に記載のラウドスピーカーエンクロージャー。
【請求項１３】
前記終端プレートは穿孔されている、請求項１２に記載のラウドスピーカーエンクロージャー。
【請求項１４】
吸収材が、前記ラウドスピーカーエンクロージャーの内部の前記反射開口の水平面、すなわち、前記反射ポートフォーマーの終端に配置される、請求項１１〜１３のいずれか１項に記載のラウドスピーカーエンクロージャー。
【請求項１５】
前記反射ポートフォーマーは、前記２つの端面セクションの他方であって前記取付けセクションに対向する端面セクションの一体延長部である、請求項１又は２に記載のラウドスピーカーエンクロージャー。
【請求項１６】
前記反射ポートは、２つの嵌合する反射ポートフォーマーによって形成され、前記２つの反射ポートフォーマーのうちの一方は、前記取付けセクションに設けられ、他方は、前記他方の端面セクションに設けられる、請求項１５に記載のラウドスピーカーエンクロージャー。
【請求項１７】
前記他方の端面セクションは、前記ラウドスピーカーエンクロージャーの後ろを閉鎖する閉鎖セクションである、請求項１５又は１６に記載のラウドスピーカーエンクロージャー。
【請求項１８】
前記２つの端面セクションの他方を嵌め込む嵌め込み部を形成する縁取りリッジが、前記２つの側面セクションの少なくとも一方の側面セクションの後ろに設けられている、請求項１〜１７のいずれか１項に記載のラウドスピーカーエンクロージャー。
【請求項１９】
前記囲みセクションは、前記他方の端面セクションに一体形成されており、そのため、前記囲みセクション及び前記他方の端面セクションが前記ラウドスピーカーエンクロージャーの前記内容積部の少なくとも一部を囲み、前記囲みセクション及び前記反射ポートフォーマーは、前記ラウドスピーカーエンクロージャーが２つの嵌合部から組み立てられるように前記他方の端面セクションから内方に突出する、請求項１５、１６又は１７に記載のラウドスピーカーエンクロージャー。
【請求項２０】
ラウドスピーカーエンクロージャーのバッフル部を製造する方法であって、
前壁セクションを成形することによって、ドライバーを収納する取付けセクションを形成するステップと、
同じ製造ステップにおいて、後方に延びるとともに前記取付けセクションに一体に相互接続された壁セクションを成形することによって、囲みセクションを形成するステップを備え、
前記囲みセクションを形成するステップにおいて、前記囲みセクションは、前記取付けセクションの内面から後方に突出し、前記ラウドスピーカーエンクロージャーの内容積部の少なくとも一部を形成する容積部を間に画定し、さらに前記囲みセクションは、底面セクションと、前記底面セクションに対向する頂面セクションと、前記ラウドスピーカーエンクロージャーの幅を形成するように互いに離隔した２つの側面セクションを備え、前記２つの側面セクションは、前記頂面セクションから前記底面セクションに向かって、かつ前記底面セクションを越えて延びており、そのため、前記２つの側面セクションの底面を延長する底面延長部が、前記底面セクションと、前記ラウドスピーカーエンクロージャーが配置されるプラットフォームとの間に空隙を提供するスタンドを形成し、
さらに前記方法は、
同じ製造ステップにおいて、前記２つの側面セクションへの実質的に平行な突出部として前記取付けセクションの前記内面から後方に延びる内壁セクションとして一体の反射ポートフォーマーを成形することによって、反射ポートを形成するステップを備え、これにより、前記反射ポートフォーマーと、隣接する側面セクションとの間のスペースに形成される前記反射ポートは、前記バッフル部の外側に、前記取付けセクションから離れて開口することを特徴とする、方法。
【請求項２１】
反射ポートフォーマーが前記２つの側面セクションの双方に隣接して配置されるように、２つの反射ポートを形成する２つの反射ポートフォーマーを成形することを含む、請求項２０に記載の方法。
【請求項２２】
前記方法は、垂直軸を有する平面を有するドライバー収納開口を前記取付けセクション内に成形することによって形成することを含み、前記取付けセクションから前記バッフル部の内部まで延びるように、また、前記ドライバー収納開口の前記垂直軸を少なくとも部分的に囲むように前記反射ポートフォーマーを形状決めすることを含み、前記ラウドスピーカーエンクロージャーの外側に開口する湾曲反射ポートが、前記反射ポートフォーマーと、隣接する前記側面セクションとの間のスペースに形成される、請求項２０又は２１に記載の方法。
【請求項２３】
前記ラウドスピーカーエンクロージャーの軸方向寸法の一部にわたって延びるように前記反射ポートフォーマーを成形することによって形成することを含む、請求項２０、２１又は２２に記載の方法。
【請求項２４】
終端プレートを前記ラウドスピーカーエンクロージャーの内側に取り付けることによって前記ラウドスピーカーエンクロージャーの前記軸方向に前記反射ポートを終端させることであって、それによって、前記反射ポートは、前記反射ポートフォーマーと、前記側面セクションと、前記終端プレートとによって画定されたスペースに形成されることを含む、請求項２３に記載の方法。
【発明の詳細な説明】
【技術分野】
【０００１】  本発明は、ラウドスピーカーに関する。本発明は特に、射出成形ラウドスピーカーエンクロージャーに関する。本発明はより具体的には、請求項１及び請求項２１のプリアンブル部に記載のラウドスピーカーエンクロージャー及びその製造方法に関する。
【背景技術】
【０００２】  ラウドスピーカーエンクロージャーは通常、ドライバーを収納する開口が設けられたいくらか角柱のチャンバーである。たいていの市販のラウドスピーカーエンクロージャーは、２つの主要な部類、すなわち接合構造体と成形構造体とに分けることができる。接合構造体は通常、角柱のラウドスピーカーエンクロージャーを形成する積層壁セクションから組み立てられる。前パネルがラウドスピーカーの取付け部を形成し、この取付け部にドライバーが取着される。ラウドスピーカーの接合構造体のパネルは通常、天然木、又は、ワックスと樹脂バインダーとを合わせた木質繊維を含むＭＤＦ等の木材から作製される。他の材料も知られている。【０００３】  しかしながら、接合構造体は、弧状形をつくり出す大きな製造労力を伴わない角柱形に限定されている。さらに、接合構造体は、エンクロージャーを完成させるのにかなりの数の組立てステップを必要とする。ほとんどの場合、接合構造体は、十分な剛性を確立するのに更なる補強部材も必要とする。【０００４】  したがって、より少ない部品を用いて剛性エンクロージャーを確立する成形構造体が開発されてきた。成形構造体は通常、前セクション及び一体側面と、前セクションから後方に延びる底面セクション及び頂面セクションとを有する囲み取付け部を特徴とする。したがって、取付け部は、ラウドスピーカーの内容積部の一部を形成する容積部を画定する。成形構造体はまた、ラウドスピーカーエンクロージャーを閉鎖するように取付け部の後端に取着される相補部を有する。この相補部は、平板状のパネルとすることができるが、これら２つの取付け部及び相補部が組み付けられるとラウドスピーカーの内容積部の一部を形成する容積部を画定するように形状決めすることもできる。相補部には通常、ラウドスピーカーケーブルの端子と、アクティブラウドスピーカー用途におけるエンクロージャーを冷却する放熱用突出部とが設けられている。実際、成形構造体エンクロージャーは、内蔵された増幅器から離して伝熱するようにエンクロージャーを形状決めするのに好都合であるため、アクティブラウドスピーカーにおいて一般的に見られる。圧力鋳造されたアルミニウム及びその合金が、アルミニウムを含む材料の強度及び熱伝導率に起因して、成形構造体ラウドスピーカーエンクロージャーの分野において好ましい材料とみなされている。【０００５】  従来の成形ラウドスピーカーエンクロージャー構造体には通常、その後の製造ステップにおいて反射ポート（reflex port）が設けられる。反射ポートは、例えば、ラウドスピーカーのバックプレートに穴を形成することによって、また、内圧衝撃を排出するとともに低周波の応答曲線を拡張するように内方に延びる穴に筒状部材を取着することによって形成される。ラウドスピーカーのドライバーから発せられるサウンドフロント（sound front）を避けて（away from）反射ポートの放射を方向付けることが好ましいものとみなされてきた。したがって、反射ポートは、ラウドスピーカーの後面に開口するように設計され、これにより、前面バッフルの取付けに比べて幾つかの利点がもたらされる。前面バッフルは通常、美観上の理由だけでなくドライバー用に面積が必要とされることから、可能な限り小さく設計される。したがって、前面バッフル以外の他の場所にポートを配置することが有益である。反射ポートが前面バッフルに配置される場合、これにより、音源、すなわちドライバーの近くに穴が生じ、そのため、音響の不連続性が形成され、これが回折を生じさせる。さらに、全てのチューブが半波長共振を有する。ポートをドライバー近くに配置することにより、管共振の励振が最大化する。高い音圧レベルの場合、ポートにおける高い空気速度が、空気の乱流によって生じる広いスペクトルノイズを引き起こす。ノイズ源を聴取者から離すように方向付けることが有益である。【０００６】  反射ポートがその後の製造ステップを必要とすることから、成形されるラウドスピーカーのバッフル部の一体部分として反射ポートを製造する試みが行われている。既知の構造では、反射ポートはラウドスピーカーの前面に開口しているが、これは上記で説明した理由から特別有利ではない。
【発明の概要】
【発明が解決しようとする課題】
【０００７】  したがって、本発明の目的は、反射ポートをより少ない製造ステップを用いて製造することができるとともにドライバーから発せられるサウンドフロントに対する妨げが最小限であるラウドスピーカーを提供することである。
【課題を解決するための手段】
【０００８】  本発明の目的は、新規のラウドスピーカーエンクロージャーによって達成される。このラウドスピーカーエンクロージャーは、互いから或る距離に配置されている２つの対向する端面セクションと、上記距離にわたって２つの端面セクションをつなぐ囲みセクションを備える。エンクロージャーの内容積部が、上記端面セクション及び上記囲みセクションによって画定される。エンクロージャーはまた、エンクロージャーに設けられているとともに、内容積部からエンクロージャーの外側へ内圧を排出するようになっている反射開口を含む反射ポートを有する。反射ポートは、反射ポートを形成する、エンクロージャーの内容積部を反射開口に接続する内部反射ポートフォーマーを更に含む。反射ポートフォーマーは、一体の内壁セクションとして成形することによって形成される。この一体の内壁セクションは、端面セクションの一方又は端面セクションの双方の内面から内方に延びる。他方では、反射ポートフォーマーは、囲みセクションに隣接して延び、囲みセクションは、反射ポートが反射ポートフォーマーと、隣接する囲みセクションとの間のスペースに形成されるように反射ポートフォーマーを少なくとも部分的に囲む。【０００９】  より具体的には、本発明によるラウドスピーカーエンクロージャーは、請求項１の特徴部を特徴とする。【００１０】  他方では、本発明の目的は、ラウドスピーカーのバッフル部を製造する新規の方法によって達成される。新規の方法では、前壁セクションを成形することによって、ドライバーを収納する取付けセクションを形成する。同じ製造ステップにおいて、後方に延びるとともに取付けセクションに一体に相互接続された壁セクションを成形することによって、囲みセクションを形成し、そのため、囲みセクションは、取付けセクションの内面から後方に突出し、ラウドスピーカーの内容積部の少なくとも一部を形成する容積部を間に画定する。同じ製造ステップにおいて、囲み側面セクションへの実質的に平行な突出部として取付けセクションの内面から後方に延びる内壁セクションとして一体の反射ポートフォーマーを成形することによって、反射ポートを更に形成する。したがって、反射ポートフォーマーと、隣接する囲みセクションとの間のスペースに形成される反射ポートは、バッフル部の外側に、取付けセクションから離れて開口する。【００１１】  より具体的には、本発明による製造方法は、請求項２１の特徴部を特徴とする。【００１２】利益  本発明を用いることによりかなりの利益が得られる。ラウドスピーカーエンクロージャーの成形部を成形する間に反射ポートが形成されるため、その後の製造ステップを必要としない。同時に、反射ポートをドライバーに面しない側に開口するように方向付けることで、ラウドスピーカーの前面において反射圧を排出することによって引き起こされる、上記で説明した不利益を排除することができる。【００１３】  新規の構成及び方法により、湾曲した反射ポートを製造することが可能である。このポートは極めて長く寸法決めすることができ、そのためラウドスピーカーの音響上の設計に役立つ。その上、本構成により、反射ポートを、応答曲線を十分に拡張するほど十分に長く寸法決めすることができるため、低周波の音再生の向上がもたらされる。【００１４】  新規の設計により、エンクロージャーの端面セクションから突出する反射ポートフォーマーが、エンクロージャーをより剛性にすることで成形ラウドスピーカーエンクロージャーの音特性を更に向上させる補助的な補剛バーとして働くという点で、更なる別の利益がもたらされる。【００１５】  以下、添付の図面を参照しながら本発明の或る特定の実施形態をより詳細に説明する。
【図面の簡単な説明】
【００１６】
【図１】本発明の１つの実施形態によるラウドスピーカーエンクロージャーのバッフル部を有するラウドスピーカーの前部立面図である。
【図２】取り外されている後壁セクションとともに示す、図１のラウドスピーカーの後部立面図である。
【図３】図１のラウドスピーカーの底面図である。
【図４】本発明の別の実施形態によるラウドスピーカーエンクロージャーのバッフル部の上側後部等角図である。
【図５】図４のバッフル部の下側後部等角図である。
【図６】終端プレート及び閉鎖セクションとともに示す、図４のバッフル部の下側後部等角分解図である。
【図７】図６のラウドスピーカーエンクロージャーを含むラウドスピーカーアセンブリの断面図である。
【発明を実施するための形態】
【００１７】  これに関して、「前方」方向という語は、音波がスピーカーから最初に放射される方向を指す。これに反して、「後方」方向という語は、前方方向の逆を指す。「前」及び「後」という語はそれぞれ、スピーカーの、前方方向又は後方方向の方向にある側面を示し、これらの側面は、エンクロージャーの前面及び後面に対して直交する。さらに、「軸方向」という語は本明細書中、音波が前方又は後方のいずれかに放射する寸法を示すのに用いられる。
【００１８】  本発明の１つの実施形態によるバッフル部１００が、ラウドスピーカー１の総内容積部の少なくとも一部、好ましくは少なくとも５０％を形成するように後方に延びている。添付の図に示されている実施形態では、バッフル部１００は、ラウドスピーカー１の全内容積部を囲んでおり、これにより、ラウドスピーカー１は、平面状の閉鎖セクション３００によって閉鎖される。バッフル部１００を閉鎖するとともにラウドスピーカー１を形成するように後プレート３００のための嵌め込み部を形成する縁取りリッジ１２２が、囲み部の後部に設けられている。閉鎖セクション３００は、内容積部の一部も形成することができ、これにより、後プレートには、内容積部を囲むとともにバッフル部１００のそれぞれの壁セクションと係合する前方延長壁セクション（図示せず）が設けられる。
【００１９】  バッフル部１００は、ドライバー２００を収納する開口が設けられている取付けセクション１１０を備える。取付けセクション１１０は、図示の実施形態では、バッフル部１００の前端に設けられており、取付けセクション１１０には、２ウェイラウドスピーカーを形成する２つの開口が設けられている。本発明を２ウェイラウドスピーカーの実施形態を示す図を参照しながら説明しているが、本発明は、１つのみのドライバー、同軸ドライバー、又は、少なくとも１つのドライバーを含む任意の他の機器（setup）用に設計されているラウドスピーカーエンクロージャーにも適用可能である。したがって、図１〜図３では、第１の開口には、中周波ドライバー２０１が設けられ、第２の開口には、高周波ドライバー２０２が設けられる。バッフル部１００は、射出成形等の成形によって作製される。したがって、バッフル部１００は、前壁セクションと、前壁セクションから後方に延びる側壁セクションとを有する一体片である。特に、囲みセクション１２０、１３０、１４０が、取付けセクション１１０に一体形成され、そのため、これらのセクション１１０、１２０、１３０、１４０は、ラウドスピーカー１又はその少なくとも一部の内容積部を囲む。囲みセクションは、囲み頂面セクション１３０及び囲み底面セクション１４０を含み、これらは取付けセクション１１０から後方に延びている。実質的に平行な頂面セクション１３０及び底面セクション１４０は、ラウドスピーカー１の高さを形成するように離隔している。囲みセクションは、２つの相互に実質的に平行な側面セクション１２０を更に含み、これらの側面セクション１２０は、ラウドスピーカー１の幅を形成するように離隔して取付けセクション１１０から後方に延びている。バッフル部１００の囲み頂面セクション１３０から見た場合、囲み側面セクション１２０は、囲み底面セクション１４０を越えて延びており、互いに向かって屈曲している。それにより得られる、囲み側面セクション１２０の底面延長部１２１が、底面セクション１４０と、ラウドスピーカー１が配置されるプラットフォームとの間に空隙を提供するスタンドを形成する。したがって、上記底面延長部１２１は、十分な支持を提供するほど十分に平坦かつ幅広であることが好ましい。
【００２０】  図２から見てとることができるように、バッフル部１００は、内部反射ポートフォーマー１５０を備え、この内部反射ポートフォーマー１５０は、取付けセクション１１０からその内側にかけて後方に延びる内壁セクションとして成形することによって一体形成されている。反射ポートフォーマー１５０は、前取付けセクション１１０の内面から後方に延びる囲みセクション１２０、１３０、１４０と同様に形成される。したがって、反射ポートフォーマー１５０は、囲み側面セクション１２０に対して囲み側面セクション１２０の内側において或る距離で実質的に平行な突出部として成形される。したがって、反射ポートフォーマー１５０は、バッフル部１００の外側に開口するとともに取付けセクション１１０から離れて反射ポート１６０を形成する。したがって、反射ポート１６０は、反射ポートフォーマー１５０と、隣接する囲みセクション１２０との間の或るスペースに形成される。反射ポートフォーマー１５０と囲み側面セクション１２０との間に別の平行な反射ポートフォーマー（図示せず）を設けることも可能であり、その場合、反射ポート１６０は、２つの反射ポートフォーマー間に形成される。しかしながら、反射ポート１６０は、いかなる場合も、余分な反射ポートフォーマーの有無を問わず、反射ポートフォーマー１５０と、隣接する囲みセクションとの間の「スペース」に形成される。
【００２１】  図示の実施形態では、バッフル部１００は、２つのそれぞれの反射ポート１６０を形成する２つの反射ポートフォーマー１５０を備える。取付けセクション１１０のドライバー開口は、垂直軸を有する平面を有する。内部反射ポートフォーマー１５０は、上記ドライバー開口の垂直軸を少なくとも部分的に囲むように形状決めされている。これにより反射ポート１６０が湾曲し、反射ポート１６０は、囲み側面セクション１２０の内面に沿うとともに、ドライバー２０１、２０２の後部、すなわち、磁石等の内部部品を囲む。反射ポート１６０の湾曲は、反射ポートフォーマー１５０の自由頂端の始動チャンバー１５１によって更に増幅する。反射ポートフォーマー１５０は、そのもう一方の端が別のチャンバーに終端し、その場所において囲み底面セクション１４０に合流する。したがって、反射ポート１６０は、ラウドスピーカー１の外側に開口する。上述したように、囲み側面セクション１２０の底面延長部１２１は、底面セクション１４０と、ラウドスピーカー１が配置されるプラットフォームとの間に空隙を提供するスタンドを形成する。したがって、反射ポート１６０は上記空隙に開口する、すなわち終端する。換言すれば、反射ポート１６０は、囲み側面セクション１２０の垂直オーバーハングによって形成されるスタンドの内側フランクに開口する。より正確には、反射ポートフォーマー１５０は、囲み底面セクション１４０の内面に終端し、それによって、反射ポート１６０は、囲み側面セクション１２０の延長部１２１と囲み底面セクション１４０との間のスリットに終端する（図３）。
【００２２】  上記で簡潔に述べたように、本発明によるラウドスピーカーエンクロージャー１はまた、図１〜図３に示されている構成から逸脱する方法で確立することができる。例えば、１つの実施形態によれば、エンクロージャーの後部は、内容積部の一部も形成することができ、これによって、後プレートには、内容積部を囲むとともにバッフル部１００のそれぞれの壁セクションと係合する前方延出壁セクション（図示せず）が設けられる。そのような一実施形態（図示せず）では、相補部が形成され、これによって、エンクロージャー１は、２つの対向する部分、すなわち、バッフル部１００及び相補部を有する。バッフル部は、上述したバッフル部と同様とすることができる。したがって、相補部もまた、射出成形等の成形によって作製される。単なる平坦なバックプレートとは対照的に、図示しない実施形態による相補部は、記載したような閉鎖セクションを有するが、そこから前方に延びる一体形の側壁セクションを有する。特に、囲みセクションは、閉鎖セクションに一体形成され、そのため、囲みセクションは、ラウドスピーカーエンクロージャー１又はその少なくとも一部の内容積部を囲む。囲みセクションは、上記で説明したセクションに対応する。相補部はまた、取付けセクションに対向する閉鎖セクションの一体形の延長部である反射ポートフォーマーを含む。したがって、反射ポートフォーマーは、閉鎖セクションから内方、すなわち前方に突出している。
【００２３】  相補部は、ラウドスピーカーエンクロージャーの内容積部の一部を形成することができ、これにより、バッフル部は内容積部の残りの部分を形成する。相補部によって内容積部全体を形成することも可能であり、これにより、バッフル部は前プレートを構成する。１つの実施形態によれば、バッフル部及び相補部はそれぞれ、エンクロージャーの内容積部の約５０パーセントを形成する。幾つかの実施形態では、バッフル部及び相補部の双方がエンクロージャーの内容積部を画定する場合、反射ポートは、２つの嵌合する反射ポートフォーマーによって形成され、その場合、一方の反射ポートフォーマーが取付けセクションに設けられ、他方が閉鎖セクションに設けられる。嵌合する反射ポートフォーマーは、反射ポートが、嵌合する反射ポートフォーマーの接合部を通じて圧力衝撃が反射ポートから逃れることを防止するのに十分に密な接合によって形成されるよう係合するように設計されている。
【００２４】  上述したように、バッフル部１００は、成形、好ましくは射出成形によって作製される。囲みセクション１２０、１３０、１４０及び反射ポートフォーマー１５０は、取付けセクション１１０を通じて材料を金型に給送することによって成形され、その場合、囲みセクション１２０、１３０、１４０及び反射ポートフォーマー１５０は、取付けセクション１１０からバッフル部１１０の内側にかけて突出する。したがって、成形プロセスにおいて、取付けセクション１１０に給送ゲートが設けられる。結果として、バッフル部１００のセクションは、バッフル部１００の個々の部品よりもむしろ部片の一体部である。したがって、囲みセクション１２０、１３０間、及び延長部１２１において丸みが付けられていることが有利であることが好ましい。さらに、実質的に平行な囲み側面セクション１２０、並びに頂面セクション１３０及び底面セクション１４０は、金型からバッフル部１００を突き出すことを促すように僅かに傾斜していることが好ましい。バッフル部１００は、射出成形に適した任意の材料から作製することができる。しかしながら、サーモウッド粉又はパルプ及びポリマーを含む合成材料を使用することが好ましく、これにより、製造プロセスにおける仕上げステップの必要性が減る。この理由は、そのような材料が、金型内で十分な表面特性を直接達成することを可能にするからである。
【００２５】  上記で提示した材料に加えて又はその代わりに、他の材料又は合成物を使用することも可能である。例えば、石膏又はタルクとポリマーとを組み合わせたものを有する合成物を用いることが可能である。代替的には、石鹸石、セルロース、サーモウッド及びガラス繊維を、上記で挙げた材料等として又はそれらの材料と組み合わせた組合せ物として使用することができる。
【００２６】  ここで、１つの更なる実施形態を示す図４〜図７を参照すると、この実施形態では、反射ポート１６０が、反射ポートフォーマー１５０と、囲み側面セクション１２０と、終端プレート４００とによって画定されたそれぞれのスペースに形成されている。上記図から見てとることができるように、反射ポートフォーマー１５０は、軸方向に、取付けセクション１１０の内面からバッフル部１００の約半分のところまで後方に延びている。バッフル部１００がエンクロージャー１の軸方向範囲の実質的に全体を形成しているのに対し、閉鎖セクション３００は単なるバックプレートである。代替的には、エンクロージャー１が２つの軸方向に延びる半体を含むように同様の終端プレート構成を構成することを可能にすることができ、その場合、取付けセクション１００は、反射ポートフォーマー１５０とともに、軸寸法がエンクロージャー１の約半分のところまで延び、閉鎖セクション３００は、対応する軸方向範囲、すなわち対応する囲み側面セクション１２０、囲み底面セクション１３０、囲み頂面セクション１４０（図示せず）を特徴とする。ここでも同様に、他の軸方向比が可能である。
【００２７】  したがって、反射ポート１６０は、図示の実施形態では、閉鎖セクション３００ではなく終端プレート４００によって閉鎖され、終端プレート４００は、閉鎖セクション３００に対して平行であり、反射ポート１６０を軸方向に閉鎖するようにエンクロージャー１内に配置されている。反射ポート開口が、図２の実施形態におけるようにエンクロージャーの底面に設けられている。終端プレート４００により、エンクロージャーの全内容積部を維持しつつ反射ポート１６０の軸方向長さを制限することによって反射ポート１６０の容積を調整することが可能になる。これにより、上記終端プレートを用いて反射ポートを微調整することによってエンクロージャーに適合させることができる多様な異なるダイアフラムのために１つのバッフル部設計を用いることができるという利点がもたらされる。
【００２８】  ここで、明瞭性を高めるため終端プレート４００が除かれた反射ポートフォーマー１５０の構造を示す図４を参照する。図示の実施形態は、対向する側面セクション１２０に隣接して配置されているとともに、したがって、対向する囲み側面セクション１２０の底面延長部１２１間のスペースに開口する２つの対向する反射ポート１６０ａ、１６０ｂを提供する、２つの対向する反射ポートフォーマー１５０ａ、１５０ｂを特徴とする。反射ポートフォーマー１５０は、図２及び図４に示されている第１の実施形態と同様の始動チャンバー１５１を備え、この始動チャンバー１５１は、反射ポート１６０の内側開口を形成する。図４にはまた、反射ポートフォーマー１５０が取付けセクション１１０から軸方向にラウドスピーカーの約半分のところまで後方に延びていることが示されている。反射ポート１６０はこの実施形態では閉鎖セクション（図４には図示せず）に終端していないため、終端プレート４００を反射ポートフォーマー１５０に連結する固定点１５２が設けられている。固定点１５２は、反射ポートフォーマー１５０の内面に形成されている軸方向バルジの形状をとることができる。反射ポートフォーマー１５０は、バッフル部１００全体とともに同時成形されるため、固定点もそのように成形され、このことは製造の観点から有利である。固定点１５２は、成形後にねじが切られることが好ましい。代替的には、ＰＴねじ又は自己ねじ切りねじ等のねじを用いてもよい。
【００２９】  図５は、反射ポート１６０の外側開口をより詳細に示す、下側等角から見た、図４のバッフル部１００を示す。上記で説明したように、反射ポート１６０の外側開口は、対向する囲み側面セクション１２０の対向する底面延長部１２１間のスペースの中に形成される。換言すれば、ラウドスピーカーエンクロージャーの囲み底面セクション１４０は、一体スタンドを提供するとともに反射ポート１６０の外側開口用のクリアランスを形成するように上方に凹んでいる。バッフル部１００は１つの一体片として形成されるため、種々のセクション間の区別は意味のあることである。実際、囲みセクション１２０、１３０、１４０は、ひと続きの囲み外形を形成しており（同様に図６を参照）、その場合、底面セクション１４０内に中央上側凹部と、反射ポート１６０の外側開口を形成する底面セクション１４０の上方延出フランクに設けられている開口とがある。図５はまた、反射ポートフォーマー１５０のバルジと同様のバルジが、閉鎖セクション３００をバッフル部１００に固定するように囲み側面セクション１２０の内面に形成されていることを示す。
【００３０】  ここで、終端プレート４００の構造を示す図６を参照する。終端プレート４００は、反射ポートフォーマー１５０の固定点１５２に固定されるようになっている。したがって、終端プレート４００には、ねじを受け入れる貫通穴が設けられている。また、終端プレート４００は、反射ポート１６０におけるリークを回避するためにバッフル部１００の対向する側面セクション１２０間に密に嵌るように寸法決めされている。終端プレート４００は、取り付けられると、囲み側面セクション１２０及び反射ポートフォーマー１５０とともに、反射ポート１６０の外形を画定する。図６から更に見てとることができるように、終端プレートは、２つの位置合わせされた平板状の後フランジ部４０１と、後フランジ部の前に前部４０２と、前部４０２を後フランジ部４０１に連結する２つの対応するベベル付き連結部４０３とを備える。終端プレート４００が後フランジ部４０１から反射ポートフォーマー１５０に固定されるのに対し、連結部４０３は、前部４０２が、反射ポートフォーマー１５０間に配置されているドライバー２０１と係合するように、前延長部を提供する。
【００３１】  代替的な実施形態によれば、終端プレート４００は、実質的に平面である。
【００３２】  ラウドスピーカーエンクロージャー１のアセンブリが、図７の断面図で示されている。図示のように、取付けセクション１１０は、高周波ドライバー２０２と、終端プレート４００によってエンクロージャーに固定されている低周波ドライバー２０１とを収容している。より具体的には、低周波ドライバー２０１は、終端プレート４００が反射ポートフォーマー１５０に固定されると、組付け時に取付けセクション内の開口の内面に取り付けられる。終端プレート４００の前部４０２は、低周波ドライバー２０１の磁石を前方に押す。密な位置決めを確実にするために、低周波ドライバー２０１と終端プレート４００の前部４０２との間にアセンブリばね２０３を用いることができる。また、ばねのコンプライアンスに応じて、バスケットと磁石との組合せによって生じる共振を排除する更なる作用があり得る。図７はまた、終端プレート４００の後フランジ部４０１が反射ポート１６０の外側開口の後端と位置合わせされる方法を示す。終端プレート４００は、ドライバーを支持するのに用いられる場合、プレート４００が最小の反射又は圧力ピークを誘発するように、ドライバーダイアフラムによって生じる後方インパルスがプレート４００を流れることを可能にするように穿孔されている（図示せず）ことが好ましい。穿孔により、エンクロージャーの内容積部の分断も防止され、それにより、不要な反射又は共振又はそれらの双方が排除される。
【００３３】  終端プレート４００は、更なる利益を達成するのに用いることができる。図４から見てとることができるように、このプレートを用いて、低周波ドライバー２０１をエンクロージャーの内側から取付けセクションに固定することができる。ドライバー２０１と、反射ポートフォーマー１５０の軸方向長さと、プレート及び場合によっては更なるスペーサー（図示せず）とを寸法決めすることによって、ドライバー２０１は、組付け中にプレートがバッフル部１００に固定されると同時に適所に係止される。したがって、エンクロージャーの外側で見える固定手段はなく、従来の組付けに比べて組付け段階が１つ少ない。
【００３４】  終端プレートはまた、ポリエステル又はガラスウール等の吸収材５００のための固定点として働くことができ、この吸収材５００は、音の周波数応答を生じさせる可能性がある、エンクロージャー内の反射を排除するのに用いられる。吸収材の最適な配置は、図７の例における場合のように、エンクロージャーの内側のポート開口１５１の水平面においてその水平面の下であり、その場合、終端プレート４００は、吸収材を支持するのに用いられる。吸収材をポート開口１５１の水平面よりも上に配置すると、ポートの空気流に減衰を加えることになる。そのため、ヘルムホルツ共鳴の有益な利得が低減することになる。エンクロージャー容積内の一次内部モードの粒子速度最大値が容積部の中心にくるため、吸収材をエンクロージャーの底面に配置することは効率的ではない。吸収材をポート開口の終端に有することの更なる利益は、２つのポート開口間に形成される気柱共鳴の付加減衰である。
【００３５】  更なる実施形態（図示せず）によれば、ドライバー２０１及び終端プレート４００は双方とも、組付け時に閉鎖セクション３００の軸方向延長部によって適所に係止される。この実施形態では、ドライバー２０１及び終端プレート４００は、更なる固定手段を用いることなく適所に組み付けられ、これにより、閉鎖セクションの軸方向延長部が、終端プレート４００、ひいてはドライバー２０１も適正な位置へと前方に押す。したがって、閉鎖セクション３００をバッフル部１００に取り付けるのにねじ等の一組のみの固定手段を用いることによって、３つの部品を組み付けることが可能になる。
【符号の説明】
【００３６】    １  ラウドスピーカー    １００  バッフル部    １１０  取付けセクション    １２０  囲み側面セクション    １２１  囲み側面セクションの底面延長部    １２２  リッジ    １３０  囲み頂面セクション    １４０  囲み底面セクション    １５０  反射ポートフォーマー    １５１  始動チャンバー    １５２  固定点    １６０  反射ポート    １６１  反射ポート内側開口    １６１  反射ポート外側開口    ２００  ドライバー    ２０１  中周波ドライバー    ２０２  高周波ドライバー    ２０３  アセンブリばね    ３００  閉鎖部分／セクション    ４００  終端プレート    ４０１  後フランジ部    ４０２  前部    ４０３  連結部    ５００  吸収材
【図１】
0006294301.tif 000002
【図２】
0006294301.tif 000003
【図３】
0006294301.tif 000004
【図４】
0006294301.tif 000005
【図５】
0006294301.tif 000006
【図６】
0006294301.tif 000007
【図７】
0006294301.tif 000008